(57)【要約】【課題】  周辺水域への影響を抑え、一定の厚みを有するとともに底生生物の生育に適した水底地盤を形成する水底地盤の表層改良方法及びその装置の提供。【解決手段】  表層にシルト及びシルト以下成分を含有する水底地盤表層土ｂが堆積した水底地盤１３に、上端側が閉鎖され、下端側が解放された筒状の地盤改良作業用ケーシング１１を所望の深さまで挿入し、地盤改良作業用ケーシング１１内の水底表面上に覆砂材層形成間隙３２を形成した後、覆砂材層形成間隙３２内に覆砂材ａを充填して、一定の厚みを有する覆砂材層を形成し、その後、地盤改良作業用ケーシング１１内で覆砂材ａと、覆砂材層下の水底地盤表層土ｂとを攪拌して改良層ｃを形成する。【選択図】  図４
2005282058.tif 000002
【特許請求の範囲】
【請求項１】
筒状をした周壁の上端側が天板で閉鎖され、下端側が開放された地盤改良作業用ケーシングと、該地盤改良作業用ケーシング内に備えた土砂混合攪拌手段とを備えた装置を使用し、前記地盤改良作業用ケーシングの下端開口側を、水底地盤表面より所望の深さまで挿入した後、該地盤改良作業用ケーシングの天板と水底地盤表面間の隙間に覆砂材を送り込んで、所望厚さの覆砂材層を敷設し、該覆砂材層と前記水底地盤表層土とを前記土砂混合攪拌手段によって前記地盤改良作業用ケーシング内で混合攪拌させることを特徴としてなる水底地盤の表層改良方法。
【請求項２】
覆砂材を、該覆砂材と水とを混合攪拌して覆砂材スラリーとなし、該覆砂材スラリーをポンプ圧送することによって前記地盤改良作業用ケーシング内の天板下に送給するようにしてなる請求項１に記載の水底地盤の表層改良方法。
【請求項３】
前記地盤改良作業用ケーシングの水底地盤への挿入深さを調節することによって該ケーシングの天板と水底地盤表面との間隔を所望の覆砂材層厚さとなし、該天板と水底地盤表面との間隔内に、前記覆砂材スラリーをポンプ圧送することによって充填することによって所望厚さの覆砂材層を敷設する請求項２に記載の水底地盤の表層改良方法。
【請求項４】
覆砂材スラリーを地盤改良作業用ケーシング内に圧送することによって覆砂材が水底地盤表面に沈降・堆積することによって生じる余剰水を覆砂材に加えて覆砂材スラリーとする請求項２又は３に記載の水底地盤の表層改良方法。
【請求項５】
筒状をした周壁の上端側が天板で閉鎖され、下端側が開放された地盤改良作業用ケーシングと、該地盤改良作業用ケーシング内に備えた土砂混合攪拌手段と、該地盤改良用ケーシング内の天板下に覆砂材を供給する覆砂材供給手段と、前記地盤改良作業用ケーシング水底地盤表面より該地盤内に挿入・引き上げするケーシング昇降手段とをそなえてなる水底地盤の表層改良装置。
【請求項６】
土砂混合攪拌手段は、地盤改良作業用ケーシングの天板に回転及び上下方向に移動可能に貫通された攪拌翼支軸と、該攪拌翼支軸の外周に放射状に突設された複数の攪拌翼とを備え、前記攪拌翼軸を回転させつつ上下方向に移動させることによって水底地盤と覆砂材層とを混合攪拌させるようにしてなる請求項５に記載の水底地盤の表層改良装置。
【請求項７】
覆砂材供給手段は、覆砂材と水とを混合して覆砂材スラリーとなすスラリー化手段と、前記覆砂材スラリーを圧送するポンプとを有し、前記覆砂材スラリーを筒状の覆砂材供給路を通して前記地盤改良作業用ケーシング内に送給するようにしてなる請求項５又は６に記載の水底地盤の表層改良装置。
【請求項８】
地盤改良作業用ケーシングとスラリー化手段との間に、該ケーシング内で覆砂材が沈降・堆積することによって生じる余剰水を還元させる余剰水循環用の管路を備え、前記余剰水を使用して覆砂材を覆砂材スラリーとなすようにしてなる請求項７に記載の水底地盤の表層改良装置。
【発明の詳細な説明】
【技術分野】
【０００１】
本発明は、主としてシルト以下の成分割合が多くなって底生生物の生息に適さなくなった水底地盤の表層（底質）を、水底に生息する生物(底生生物)の生息に適した状態に改良する水底地盤の表層改良方法及びその装置に関する。
【背景技術】
【０００２】
従来、ヘドロ等のシルト及びシルト以下の成分割合が多くなった底質の改良には、底質の拡散を防止すると共に軟弱な底質を圧密させる覆砂が行われており、この覆砂工法には、砂撒きの際に濁りを生じさせず、しかも砂層を均一な厚さとするための各種の工法が開発されている（例えば特許文献１を参照）。
【０００３】
しかし、底質の表面を砂層で覆う従来の覆砂工法では、限られた底生生物の生息が可能となるのみであり、多くの底生生物が生息できる天然の干潟のような条件を満たすことはできない。
【０００４】
即ち、非干潟の生物は底質に穴を掘って生息したり、水底地盤表層に堆積している底質表面の有機物や底生藻類を底質ごと食べたりするなど、底質の中央粒径の大きさ、シルト（粒径約０．００５〜０．０７５ｍｍ）以下成分の含有割合や有機質成分の含有割合などの条件と密接な関係を持っている。
【０００５】
例えば、クルマエビはシルト含有率２０〜５０％、シャコは同２〜９８％（シルト１００％や礫１００％では生息できない）、アサリは同５〜３０％、アカガイは、底生期に同１８〜３８％、６０〜９０％及び９２〜９８％、産卵期に９５％前後における生息が見られたとの報告がある。
【０００６】
また、覆砂材によって底質を改良した人工干潟は、粒径が粗くシルト以下の成分の少ない砂（粒径約０．７５〜２ｍｍ）を材料として造成されているため、透水性が大きく、底質内に水を保持する能力に欠け、天然の干潟に比べて生物の生息環境が劣っている。
【０００７】
このような問題を解決する方法として、従来、図８に示す如く、作業台船１上よりバックホウ２等を使用して敷設された覆砂材３と該覆砂材３層下のシルト及びシルト以下成分を含有する水底地盤表層土４とを攪拌することにより底生生物の生息環境に適した改良層を形成する方法が知られている。
【特許文献１】特許第３４７９６９３号公報
【発明の開示】
【発明が解決しようとする課題】
【０００８】
しかし、上述の如き従来の技術では、バックホウ等で攪拌した際に汚濁が周辺水域にまで拡散してしまうという問題があり、また、改良層の厚みを一定にすることが困難という問題があった。
【０００９】
更に、覆砂材と覆砂材下層とを一定割合で攪拌することが難しく、養殖等のために任意の底生生物に合わせてシルト以下成分等の含有割合を調整することが困難であった。
【００１０】
そこで上述の如き従来技術の問題を鑑み、周辺水域への影響を抑え、一定の厚みを有するとともに底生生物の生育に適した水底地盤を形成する水底地盤の表層改良方法及びその装置の提供を目的とする。
【課題を解決するための手段】
【００１１】
上述の如き従来の問題を解決し、所期の目的を達成するための請求項１に記載の水底地盤の表層改良方法の特徴は、筒状をした周壁の上端側が天板で閉鎖され、下端側が開放された地盤改良作業用ケーシングと、該地盤改良作業用ケーシング内に備えた土砂混合攪拌手段とを備えた装置を使用し、前記地盤改良作業用ケーシングの下端開口側を、水底地盤表面より所望の深さまで挿入した後、該地盤改良作業用ケーシングの天板と水底地盤表面間の隙間に覆砂材を送り込んで、所望厚さの覆砂材層を敷設し、該覆砂材層と前記水底地盤表層土とを前記土砂混合攪拌手段によって前記地盤改良作業用ケーシング内で混合攪拌させることにある。
【００１２】
請求項２に記載の発明の特徴は、上記請求項１の構成に加え、覆砂材を、該覆砂材と水とを混合攪拌して覆砂材スラリーとなし、該覆砂材スラリーをポンプ圧送することによって前記地盤改良作業用ケーシング内の天板下に送給することにある。
【００１３】
請求項３に記載の発明の特徴は、上記請求項２の構成に加え、前記地盤改良作業用ケーシングの水底地盤への挿入深さを調節することによって該ケーシングの天板と水底地盤表面との間隔を所望の覆砂材層厚さとなし、該天板と水底地盤表面との間隔内に、前記覆砂材スラリーをポンプ圧送することによって充填することによって所望厚さの覆砂材層を敷設することにある。
【００１４】
請求項４に記載の本発明の水底地盤の表層改良装置の特徴は、覆砂材スラリーを地盤改良作業用ケーシング内に圧送することによって覆砂材が水底地盤表面に沈降・堆積することによって生じる余剰水を覆砂材に加えて覆砂材スラリーとすることにある。
【００１５】
請求項５に記載の発明の特徴は、上記請求項１又は２の構成に加え、筒状をした周壁の上端側が天板で閉鎖され、下端側が開放された地盤改良作業用ケーシングと、該地盤改良作業用ケーシング内に備えた土砂混合攪拌手段と、該地盤改良用ケーシング内の天板下に覆砂材を供給する覆砂材供給手段と、前記地盤改良作業用ケーシング水底地盤表面より該地盤内に挿入・引き上げするケーシング昇降手段とをそなえたことにある。
【００１６】
請求項６に記載の発明の特徴は、上記請求項５の構成に加え、土砂混合攪拌手段は、地盤改良作業用ケーシングの天板に回転及び上下方向に移動可能に貫通された攪拌翼支軸と、該攪拌翼支軸の外周に放射状に突設された複数の攪拌翼とを備え、前記攪拌翼軸を回転させつつ上下方向に移動させることによって水底地盤と覆砂材層とを混合攪拌させるようにしたことにある。
【００１７】
請求項７に記載の発明の特徴は、上記請求項５又は６の構成に加え、覆砂材供給手段は、覆砂材と水とを混合して覆砂材スラリーとなすスラリー化手段と、前記覆砂材スラリーを圧送するポンプとを有し、前記覆砂材スラリーを筒状の覆砂材供給路を通して前記地盤改良作業用ケーシング内に送給するようにしたことにある。
【００１８】
請求項８に記載の発明の特徴は、上記請求項７に記載の構成に加え、地盤改良作業用ケーシングとスラリー化手段との間に、該ケーシング内で覆砂材が沈降・堆積することによって生じる余剰水を還元させる余剰水循環用の管路を備え、前記余剰水を使用して覆砂材を覆砂材スラリーとなすようにしたことにある。
【発明の効果】
【００１９】
本発明に係る水底地盤の表層改良方法及びその装置は、筒状をした周壁の上端側が天板で閉鎖され、下端側が開放された地盤改良作業用ケーシングと、該地盤改良作業用ケーシング内に備えた土砂混合攪拌手段とを備えた装置を使用し、前記地盤改良作業用ケーシングの下端開口側を、水底地盤表面より所望の深さまで挿入した後、該地盤改良作業用ケーシングの天板と水底地盤表面間の隙間に覆砂材を送り込んで、所望厚さの覆砂材層を敷設、該覆砂材層と前記水底地盤表層土とを前記土砂混合攪拌手段によって前記地盤改良作業用ケーシング内で混合攪拌させるようにしたことによって、覆砂作業と、改良作業とを一連の流れで行うことができ、別個に行う場合に比べて作業効率が良く、経費の削減を図ることができるとともに、攪拌の際に発生する汚濁が周辺水域にまで飛散又は拡散するのを防止することができるとともに、改良層の厚みを一定にすることができる。
【００２０】
また本発明では、覆砂材を、該覆砂材と水とを混合攪拌して覆砂材スラリーとなし、該覆砂材スラリーをポンプ圧送することによって前記地盤改良作業用ケーシング内の天板下に送給することにより、覆砂材が付近の水域に飛散することなく、定量を正確に送り込むことができる。
【００２１】
更に本発明では、地盤改良作業用ケーシングの水底地盤への挿入深さを調節することによって該ケーシングの天板と水底地盤表面との間隔を所望の覆砂材層厚さとなし、該天板と水底地盤表面との間隔内に、前記覆砂材スラリーをポンプ圧送することによって充填することによって所望厚さの覆砂材層を敷設することにより、水底地盤表面の底質とこれを改良するための覆砂材の混合割合を正確に調整することができ、予定した生物の生息環境をより正確に調整することができる。
【００２２】
更に本発明では、覆砂材スラリーを地盤改良作業用ケーシング内に圧送することによって覆砂材が水底地盤表面に沈降・堆積することによって生じる余剰水を覆砂材に加えて覆砂材スラリーとするようにし、余剰水を循環使用することにより、スラリーから生じる濁水によって付近の水域を汚濁することがなくなり、また、汚濁防止のための排水処理が殆ど必要なくなり、経済性が高い。
また、土砂混合攪拌手段は、地盤改良作業用ケーシングの天板に回転及び上下方向に移動可能に貫通された攪拌翼支軸と、該攪拌翼支軸の外周に放射状に突設された複数の攪拌翼とを備え、前記攪拌翼軸を回転させつつ上下方向に移動させることによって水底地盤と覆砂材層とを混合攪拌させるようにしたことにより、好適に地盤改良作業用ケーシング内を攪拌することができ、水底地盤表面の堆積土砂とケーシング内に送給した覆砂材との混合が、効率よく行われる。
【発明を実施するための最良の形態】
【００２３】
次に本発明の形態を図面に示した実施例に基づいて説明する。
【００２４】
図１は、本発明に係る水底地盤の表層改良装置の概略を示している。
【００２５】
水底地盤の表層改良装置（以下、表層改良装置という）は、断面が長方形状の筒状をした周壁１０ａの上端側が天板１０ｂにより閉鎖され、下端側が解放された筒状の地盤改良作業用ケーシング１１と、地盤改良作業用ケーシング１１内で攪拌を行う攪拌手段１２と、地盤改良作業用ケーシング１１の水底地盤１３に対する挿入深さを制御する制御手段とを備え、この制御手段により制御しながら表層改良装置を水底まで沈降させ、地盤改良作業用ケーシング１１即ち、周壁１０ａを所望の深さまで水底地盤１３に挿入させるようになっている。
【００２６】
また、地盤改良作業用ケーシング１１には、地盤改良作業用ケーシング１１内に覆砂材ａを供給する覆砂材供給手段と、地盤改良作業用ケーシング１１内の水又は空気を排出する排出手段とがそれぞれ接続されている。
【００２７】
地盤改良作業用ケーシング１１の天板１０ｂには、加減圧用管路１６が貫通開口され、ポンプ１７で注排水することにより地盤改良作業用ケーシング１１内を加減圧できるようになっている。
【００２８】
制御手段は、ＧＰＳ（Ｇｌｏｂａｌ  Ｐｏｓｉｔｉｏｎｉｎｇ  Ｓｙｓｔｅｍ）によって地盤改良作業用ケーシング１１の位置を計測するとともに圧力計等の深度計測器を使用して挿入深さを計測し、その計測データをフィードバックして所定の位置及び挿入深さに地盤改良作業用ケーシング１１を設置することができるようになっている。
【００２９】
攪拌手段１２は、地盤改良作業用ケーシング１１の天板１０ｂに回転及び上下方向に移動可能に貫通された攪拌翼支軸１８，１８…と、攪拌翼支軸１８の外周より放射状に突出した複数の攪拌翼１９，１９と、攪拌翼支軸１８を回転動作させる動力源２０とを備え、原動機等の動力源２０により攪拌翼支軸１８を回転させることにより、攪拌翼１９，１９が地盤改良作業用ケーシング１１内で回転し、地盤改良作業用ケーシング１１内の覆砂材ａと水底地盤表層土ｂとを攪拌するようになっている。
【００３０】
攪拌翼支軸１８，１８…は、図２に示すように、所定の間隔を置いて複数箇所に設置され、隣り合う攪拌翼支軸１８，１８より突設された攪拌翼１９，１９は、互いに干渉しないように直交配置に固定されている。
【００３１】
また、攪拌手段１２は、攪拌翼支軸１８を上下方向に移動させる昇降機構を備え、攪拌翼支軸１８を上下方向に移動させることにより、攪拌翼１９，１９が回転しながら上下し、地盤改良作業用ケーシング１１内をより効果的に攪拌することができるようになっている。
【００３２】
昇降機構は、地盤改良作業用ケーシング１１の外側に配置された支持柱２１，２１と、支持柱２１，２１間に架け渡された梁部２２と、梁部２２に固定されたシリンダー２３，２３…と、シリンダー２３の先端部に固定され、梁部２２に対して移動自在な支持枠２４とを備え、支持枠２４に攪拌翼支軸１８の基端部を回転自在に支持させることにより、シリンダー２３を伸縮させることにより支持枠２４が上下方向に移動し、攪拌翼支軸１８もまた上下方向に移動、即ち昇降するようになっている。
【００３３】
尚、攪拌翼支軸１８を回転させる動力源２０は、支持枠２４に保持されている。
【００３４】
覆砂材供給手段は、作業台船２５上に設置されていて覆砂材ａと水とを混合してスラリー化するためのスラリー槽２６と、スラリー槽２６内に配置されたスラリー圧送用ポンプ２７と、一方の端部がスラリー圧送用ポンプ２７に接続され、他方の端部が地盤改良作業用ケーシング天板１０ｂに形成された注入口に接続された覆砂材供給路２８とを備え、スラリー圧送用ポンプ２７を動作させることにより、覆砂材供給路２８を通じてスラリー化された覆砂材ａ（覆砂材スラリー）を地盤改良作業用ケーシング１１内の天板下に供給するようになっている。
【００３５】
覆砂材供給路２８にはフレキシブルホースが使用できる他、浚渫土砂排砂管等からなる管路が使用できる。
【００３６】
地盤改良作業用ケーシング１１には、天板１０ｂを貫通して排水管３０が連通されており、この排水管３０が余剰水循環用の管路となっている。この管路は、覆砂材スラリーを地盤改良作業用ケーシング１１内に送給し、該ケーシング内で覆砂材ａが沈降・堆積することによって生じる余剰水を排出させるためのものであり、その先端は前記覆砂材供給手段のスラリー槽２６に通じており、排水ポンプ２９によってケーシング１１内の余剰水を吸引させ、スラリー槽２６に還元して覆砂材スラリー用の水として使用するようになっている。
【００３７】
次に、この表層改良装置を使用した水底地盤の表層改良方法について説明する。
【００３８】
まず、図３に示すように、表層改良装置を作業台船２５に設置されたクレーン等の吊り下げ手段３１により、シルト及びシルト以下成分を含有する水底地盤表層土ｂが堆積した水底地盤１３上に吊り降ろし、この表層改良装置の上から地盤１３を撹乱させないように静的な鉛直荷重を作用させるとともに、制御手段で地盤改良作業用ケーシング１１の地盤１３に対する周壁１０ａ下端の挿入深さを制御しながら地盤改良作業用ケーシング１１の下端開口側を水底地盤１３に挿入する。
【００３９】
このとき、ポンプ１７を作動させ、加減圧用管路１６を通じて地盤改良作業用ケーシング１１内の空気を排出させるとともに水を引き抜くことによって、地盤改良作業用ケーシング１１内を減圧して挿入を容易にすると同時に、地盤表層部のヘドロ等を含む水底地盤表層土ｂの飛散・拡散を防止する。
【００４０】
尚、加減圧用管路１６は、特別にこれを設けることなく、覆砂材供給路２８又は排水管３０を利用してケーシング１１内の排気及び水底地盤１３に対する挿入、引き抜きの際の圧力調整を行うようにしてもよい。
【００４１】
このように、地盤改良作業用ケーシング１１を所定の深さまで挿入させたら、図４（ａ）に示すように、その位置で挿入を停止させる。
【００４２】
このようにして地盤改良作業用ケーシング１１の周壁１０ａを地盤表層部に挿入し、天板１０ｂと水底地盤表面との間に略密閉状態の覆砂材層形成間隙３２を形成させる。
【００４３】
地盤改良作業用ケーシング１１の挿入深さは、攪拌混合する予定の覆砂材ａと水底地盤表層土ｂとの割合によって決定し、覆砂材ａ：水底地盤表層土ｂが１：１であるなら、図５（ａ）に示すように、地盤改良作業用ケーシング１１を半分の位置まで挿入し、水底地盤表層土の割合を増やす場合（例えば、覆砂材ａ：水底地盤表層土ｂが１：３）には、図５（ｂ）に示すように、地盤改良作業用ケーシング１１をより深い位置まで挿入し、逆に、覆砂材ａの割合を増やす場合（例えば、覆砂材ａ：水底地盤表層土ｂが３：１）には、図５（ｃ）に示すように、地盤改良作業用ケーシングの下端部だけを所定の割合に対応した分だけ挿入する。
【００４４】
次に、排水ポンプ２９及びスラリー圧送用ポンプ２７を動作させ、図４（ｂ）に示すように、覆砂材層形成間隙３２内の水を排水するとともに、スラリー化された覆砂材ａを覆砂材層形成間隙３２内に供給する。
【００４５】
尚、覆砂材の供給は上述の他、ケーシング１１内を密閉状態としておき、スラリー圧送ポンプ２７又は排水ポンプ２９の何れかのみを使用して行ってもよく、また、スラリー圧送用ポンプを使用せず、トレーミー等の投下用の導管を使用してスラリーを投入し、排水ポンプ２９をもって排水させることによって行うようにしてもよい。
【００４６】
覆砂材ａとしては、主として粒径０．０７５ｍｍ〜２ｍｍの細砂〜粗砂の混合物が好ましいが、シルト以下成分と砂分とのが混在している浚渫土も使用することができ、この場合には、水底地盤表層土ｂと混合することによって所望の改良地盤が得られるように覆砂材ａと水底地盤表層土ｂとの混合割合を調整する。
【００４７】
覆砂材ａのスラリー化は、排水ポンプ２９によって地盤改良作業用ケーシング１１内より排出された余剰水をスラリー槽２６内に流入させ、その余剰水をスラリー槽２６内の覆砂材ａと混合することのより行う。スラリー化した覆砂材（覆砂材スラリー）を、覆砂材供給路２８を通して地盤改良作業用ケーシング１１内に供給する。
【００４８】
これによって、覆砂材層形成間隙３２内が覆砂材ａで充填され、図４（ｃ）に示すように、地盤改良作業用ケーシング１１内に覆砂材ａからなる所望の層厚の覆砂材層が形成されるとともに、地盤改良作業用ケーシング内の覆砂材ａと覆砂材層下の水底地盤表層土ｂとの割合を規定することができる。
【００４９】
次に、図４（ｄ）に示すように、攪拌手段１２、即ち、攪拌翼支軸１８を動力源により回転させて、地盤改良作業用ケーシング１１内の攪拌翼１９を回転させるとともに昇降機構により攪拌翼支軸１８を上下させることにより、覆砂材層を構成する覆砂材ａと、覆砂材層下に形成された表層部を構成するシルト及びシルト以下成分を含有する水底地盤表層土ｂとを十分に攪拌する。
【００５０】
これにより地盤改良作業用ケーシング１１内に覆砂材ａと水底地盤表層土ｂとが所望の混合割合により均一に攪拌混合された改良層ｃが形成される。
【００５１】
そして、図４（ｅ）に示すように、表層改良装置、即ち地盤改良作業用ケーシング１１を水底地盤１３より吊り上げて引き抜く。
【００５２】
このとき、ポンプ１７を作動させ、加減圧用管路１６を通じて地盤改良作業用ケーシング１１内に注水することによって、地盤改良作業用ケーシング１１内を加圧して引き抜きを容易にする。
【００５３】
この表層改良装置を次の施工位置に移動させ、上述の工程を繰り返すことにより、所望広さの水底地盤の改良を行う。
【００５４】
尚、表層改良装置、即ち地盤改良作業用ケーシング１１を所望の深さまで水底地盤中に挿入させる際の静的な鉛直荷重は、地盤改良作業用ケーシング１１及びこれに付属した装置の自重のみでも良いが、水底地盤の強度によって自重のみでは挿入できない場合には、鉛直加重を付加させる。この場合、例えば図６（ａ）、（ｂ）に示すように、作業船に固定された挿入支持部材５０に対して鉛直荷重付加用の加圧軸５１を、ガイド５２，５２を介して軸方向に移動可能に支持させ、図６（ａ）に示すように、受け台５３をジャッキ５５によって押し下げるようにしたり、また、図６（ｂ）に示すように、モーター５６によって駆動されるギヤ又はローラー５７によって加圧軸５１を下向きに移動させるようにしたりすることにより行うことができる。
【００５５】
また、上述の実施例では、表層改良装置の攪拌手段１２に、昇降機構を備えた例について説明したが、図７に示すように、昇降機構を設けず、攪拌翼支軸１８の上下方向に間隔を置いて攪拌翼１９，１９…を突設させること、即ち攪拌翼１９，１９…を多段配置にするようにしてもよい。尚、上述の実施例と同一の部分には同一符号を付して説明を省略する。
【００５６】
更に、上述の実施例では、角筒状の地盤改良作業用ケーシングを使用した例について説明したが、地盤改良作業用ケーシングは、円筒状、又はその他断面多角形筒状としてもよく、また、複数の地盤改良作業用ケーシングを組み合わせて使用し、より広い区域の作業を同時に行うようにしてもよい。
【図面の簡単な説明】
【００５７】
【図１】本発明に係る水底地盤の表層改良装置の一例の概略を示す断面図である。
【図２】図１中の攪拌手段の配置を模式的に示す断面図である。
【図３】本発明に係る水底地盤の表層改良方法における表層改良装置の設置状態を示す断面図である。
【図４】（ａ）〜（ｅ）は同上の本方法における各工程を模式的に示す断面図である。
【図５】（ａ）は覆砂材と水底地盤表層土の混合比が１：１の場合、（ｂ）は同混合比が１：３の場合、（ｃ）は同混合比が３：１の場合の各場合における地盤改良作業用ケーシングの挿入深さを示す断面図である。
【図６】（ａ）（ｂ）はそれぞれ本発明方法における地盤改良作業用ケーシング挿入の際の静的荷重付加する手段の別々の例を示す側面図である。
【図７】本発明に係る水底地盤の表層改良装置の他の一例を示す断面図である。
【図８】従来の水底地盤の表層改良方法の概略を示す断面図である。
【符号の説明】
【００５８】
ａ  覆砂材
ｂ  水底地盤表層土
ｃ  改良層
１０ａ  周壁
１０ｂ  天板
１１  地盤改良作業用ケーシング
１２  攪拌手段
１３  水底地盤
１６  加減圧用管路
１７  ポンプ
１８  攪拌翼支軸
１９  攪拌翼
２０  動力源
２１  支持柱
２２  梁部
２３  シリンダー
２４  支持枠
２５  作業台船
２６  スラリー槽
２７  スラリー圧送用ポンプ
２８  覆砂材供給路
２９  排水ポンプ
３０  排水管
３１  吊り下げ手段
３２  覆砂材層形成間隙
５０  挿入支持部材
５１  加圧軸
５２  ガイド
５３  受け台
５５  ジャッキ
５６  モーター
５７  ローラー
【図１】
2005282058.tif 000003
【図２】
2005282058.tif 000004
【図３】
2005282058.tif 000005
【図４】
2005282058.tif 000006
【図５】
2005282058.tif 000007
【図６】
2005282058.tif 000008
【図７】
2005282058.tif 000009
【図８】
2005282058.tif 000010
【手続補正書】
【提出日】平成16年3月31日(2004.3.31)
【手続補正１】
【補正対象書類名】明細書
【補正対象項目名】００４６
【補正方法】変更
【補正の内容】
【００４６】
覆砂材ａとしては、主として粒径０．０７ｍｍ〜２ｍｍ程度の細砂〜粗砂が好ましいが、シルト以下成分と砂分とが混在している浚渫土も使用することができる。